【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】  いくつかのチャネルに分割されたデータ通信リンクを介してソースから宛先へデータパケットを送信する送信方法であって、
連続多重ラウンド中に前記チャネルを介して前記ソースで前記データパケットを連続的に多重する工程と、
前記データパケットを送信する工程と、
前の多重ラウンド中に対応チャネルを介して送信されたデータパケットの受信がポジティブ応答確認されるまで、次の多重ラウンドでの新規のデータパケットの多重を休止する工程と、
ポジティブ応答確認されないデータパケットだけのみを再送信する工程と
を備えることを特徴とする送信方法。
【請求項２】  対応チャネルを介して少なくとも１つのデータパケットを送信する前に、前記ソースで前記少なくとも１つのデータパケットをバッファする工程と
を更に備えることを特徴とする請求項１に記載の送信方法。
【請求項３】  少なくとも１つのチャネルを介していくつかのデータパケットを送信する前に、ＦＩＦＯ方式で前記ソースで前記いくつかのデータパケットをバッファする工程と
を更に備えることを特徴とする請求項１に記載の送信方法。
【請求項４】  前記データパケットは、所定長を有するＦＩＦＯバッファにバッファされ、前記データパケットの多重は、前記ＦＩＦＯバッファが一杯状態である場合に、前記少なくとも１つのチャネルを介して休止される
ことを特徴とする請求項３に記載の送信方法。
【請求項５】  前記ソースで前記データパケットを連続的に多重する工程は、循環方法である
ことを特徴とする請求項１に記載の送信方法。
【請求項６】  前記新規のデータパケットの多重を休止する工程は、前記データパケットの前記ＦＩＦＯバッファへのバッファを休止する工程と
を備えることを特徴とする請求項３に記載の送信方法。
【請求項７】  ネガティブ応答確認が受信される場合あるいは所定時間期間後にポジティブ応答確認が受信されない場合に、前記データパケットを再送信する工程と
を更に備えることを特徴とする請求項１に記載の送信方法。
【請求項８】  前記データパケットは、所定数の物理チャネルを介して疑似ランダム送信される
ことを特徴とする請求項１に記載の送信方法。
【請求項９】  前記物理チャネルは、無線周波数チャネルを含んでいる
ことを特徴とする請求項８に記載の送信方法。
【請求項１０】  いくつかのチャネルに分割されたデータ通信リンクを介してソースから宛先へ送信されたデータパケットを受信する受信方法であって、
前記チャネルを介して前記データパケットを連続的に多重分離する工程と、
チャネルを介して新規のデータパケットが受信されない場合、該チャネル以外のすべてのチャネルを介して前記新規のデータパケットの多重分離を休止する工程と、
前記宛先で前記チャネルから受信されたデータパケットをＦＩＦＯ方式で連続的にバッファする工程と、
前記新規のデータパケットが受信された後に、前記バッファされたデータパケットを多重分離する工程と
を備えることを特徴とする受信方法。
【請求項１１】  チャネルを介してデータパケットが受信される場合、前記ソースに対しポジティブ応答確認を送信する工程と
を更に備えることを特徴とする請求項１０に記載の受信方法。
【請求項１２】  チャネルを介してデータパケットが受信されない場合、前記ソースに対しネガティブ応答確認を送信する工程と
を更に備えることを特徴とする請求項１０に記載の受信方法。
【請求項１３】  受信されたデータパケットが新規のデータパケットであるか否かを判定する工程と
を更に備えることを特徴とする請求項１０に記載の受信方法。
【請求項１４】  前記データパケットは、前記宛先で所定長を有するＦＩＦＯバッファにバッファされ、前記データパケットの多重分離は、前記ＦＩＦＯバッファが空である場合に、休止される
ことを特徴とする請求項１０に記載の受信方法。
【請求項１５】  前記宛先で前記データパケットを連続的に多重分離する工程は、前記宛先で循環方法で前記チャネル上の前記データパケットを多重分離する工程と
を備えることを特徴とする請求項１０に記載の受信方法。
【請求項１６】  前記多重する工程及び前記多重分離する工程は、独立して動作する
ことを特徴とする請求項１４に記載の受信方法。
【請求項１７】  ソースと宛先間でデータパケットを通信する通信方法であって、
データ通信リンクをいくつかのチャネルに分割する工程と、
連続多重ラウンドで前記チャネルを介して前記ソースで前記データパケットを連続的に多重する工程と、
前記データパケットを送信する工程と、
前の多重ラウンド中に対応チャネルを介して送信されたデータパケットの受信がポジティブ応答確認されるまで、次の多重ラウンドでの新規のデータパケットの多重を休止する工程と、
前記前の多重ラウンド中に前記データパケットが送信された後、ポジティブ応答確認されない前記データパケットだけを再送信する工程と、
前記チャネルを介して前記データパケットを連続的に多重分離する工程と、
チャネルを介して新規のデータパケットが受信されない場合、該チャネル以外のすべてのチャネルを介して前記新規のデータパケットの多重分離を休止する工程と
を備えることを特徴とする通信方法。
【請求項１８】  対応チャネルを介して少なくとも１つのデータパケットを送信する前に、前記ソースで前記少なくとも１つのデータパケットをバッファする工程と
を更に備えることを特徴とする請求項１７に記載の通信方法。
【請求項１９】  少なくとも１つのチャネルを介していくつかのデータパケットを送信する前に、ＦＩＦＯ方式で前記ソースで前記いくつかのデータパケットをバッファする工程と
を更に備えることを特徴とする請求項１７に記載の通信方法。
【請求項２０】  前記データパケットは、所定長を有するＦＩＦＯバッファにバッファされ、前記データパケットの多重は、前記ＦＩＦＯバッファが一杯状態である場合に、前記少なくとも１つのチャネルを介して休止される
ことを特徴とする請求項１９に記載の通信方法。
【請求項２１】  前記連続多重ラウンド中に前記チャネルを介して前記ソースで前記データパケットを連続的に多重する工程は、循環方法で前記チャネル上でデータパケットを多重する工程と
を備えることを特徴とする請求項１７に記載の通信方法。
【請求項２２】  前記新規のデータパケットの多重を休止する工程は、前記データパケットのバッファを休止する工程と
を備えることを特徴とする請求項１９に記載の通信方法。
【請求項２３】  ネガティブ応答確認が受信される場合あるいは所定時間期間後にポジティブ応答確認が受信されない場合に、前記データパケットを再送信する工程と
を更に備えることを特徴とする請求項１７に記載の通信方法。
【請求項２４】  前記データパケットは、所定数の物理チャネルを介して疑似ランダム送信される
ことを特徴とする請求項１７に記載の通信方法。
【請求項２５】  前記物理チャネルは、無線周波数チャネルを含んでいる
ことを特徴とする請求項２４に記載の通信方法。
【請求項２６】  ＦＩＦＯ方式で前記宛先で各チャネルを介して受信されたデータパケットをバッファする工程と、前記新規のデータパケットが受信された後に、前記バッファされたデータパケットを多重分離する工程と
を更に備えることを特徴とする請求項１７に記載の通信方法。
【請求項２７】  チャネルを介してデータパケットが受信される場合、前記ソースに対しポジティブ応答確認を送信する工程と
を更に備えることを特徴とする請求項１７に記載の通信方法。
【請求項２８】  チャネルを介してデータパケットが受信されない場合、前記ソースに対しネガティブ応答確認を送信する工程と
を更に備えることを特徴とする請求項１７に記載の通信方法。
【請求項２９】  受信されたデータパケットが新規のデータパケットであるか否かを判定する工程と
を更に備えることを特徴とする請求項１７に記載の通信方法。
【請求項３０】  前記データパケットは、前記宛先で所定長を有するＦＩＦＯバッファにバッファされ、前記データパケットの多重分離は、前記ＦＩＦＯバッファが空状態である場合に、休止される
ことを特徴とする請求項２６に記載の通信方法。
【請求項３１】  前記宛先で前記データパケットを連続的に多重分離する工程は、循環方法で前記チャネル上の前記データパケットを多重分離する工程と
を備えることを特徴とする請求項１７に記載の通信方法。
【請求項３２】  前記多重する工程と前記多重分離する工程は、独立して動作する
ことを特徴とする請求項３０に記載の通信方法。
【請求項３３】  マルチチャネル自動再送信照会（ＡＲＱ）方法であって、
データ通信リンクをいくつかのチャネルに分割する工程と、
前記チャネルを介してソースで前記データパケットを連続的に多重し、対応チャネルを介して宛先へ該データパケットを送信する工程と、
前記チャネルのそれぞれにストップアンドウェイトＡＲＱ方法を適用する工程と、
前の多重ラウンド中に対応チャネルを介して送信されたデータパケットの受信がポジティブ応答確認されるまで、次の多重ラウンドでの新規のデータパケットの多重を休止する工程と、
前記宛先が前に送信されたデータパケットに対しポジティブ応答確認しているかどうかを判定する工程と、
ポジティブ応答確認されていない前記データパケットだけを再送信する工程と
を備えることを特徴とするマルチチャネル自動再送信照会（ＡＲＱ）方法。
【請求項３４】  対応チャネルを介して少なくとも１つのデータパケットを送信する前に、前記ソースで前記少なくとも１つのデータパケットをバッファする工程と
を更に備えることを特徴とする請求項３３に記載のマルチチャネル自動再送信照会（ＡＲＱ）方法。
【請求項３５】  少なくとも１つのチャネルを介していくつかのデータパケットを送信する前に、ＦＩＦＯ方式で前記ソースで前記いくつかのデータパケットをバッファする工程と
を更に備えることを特徴とする請求項３３に記載のマルチチャネル自動再送信照会（ＡＲＱ）方法。
【請求項３６】  前記データパケットは、所定長を有するＦＩＦＯバッファにバッファされる
ことを特徴とする請求項３５に記載のマルチチャネル自動再送信照会（ＡＲＱ）方法。
【請求項３７】  前記ソースで前記データパケットを連続的に多重する工程は、循環方法で前記チャネル上で前記データパケットを多重する工程と
を備えることを特徴とする請求項３３に記載のマルチチャネル自動再送信照会（ＡＲＱ）方法。
【請求項３８】  新規のデータパケットの多重を休止する工程とを更に備え、前記データパケットのバッファを休止する工程と
を備えることを特徴とする請求項３６に記載のマルチチャネル自動再送信照会（ＡＲＱ）方法。
【請求項３９】  ネガティブ応答確認が受信される場合あるいは所定時間期間後にポジティブ応答確認が受信されない場合、前記データパケットを再送信する工程と
を更に備えることを特徴とする請求項３３に記載のマルチチャネル自動再送信照会（ＡＲＱ）方法。
【請求項４０】  前記データパケットは、所定数の物理チャネルを介して疑似ランダム送信される
ことを特徴とする請求項３３に記載のマルチチャネル自動再送信照会（ＡＲＱ）方法。
【請求項４１】  前記物理チャネルは、無線周波数チャネルを有する
ことを特徴とする請求項４０に記載のマルチチャネル自動再送信照会（ＡＲＱ）方法。
【請求項４２】  ＦＩＦＯ方式で前記宛先で前記チャネルを介して受信されたデータパケットを連続的にバッファする工程と、前記新規のデータパケットが受信された後に、前記バッファされたデータパケットを多重分離する工程と
を更に備えることを特徴とする請求項３３に記載のマルチチャネル自動再送信照会（ＡＲＱ）方法。
【請求項４３】  チャネルを介してデータパケットが受信される場合、前記ソースでポジティブ応答確認を送信する工程と
を更に備えることを特徴とする請求項３３に記載のマルチチャネル自動再送信照会（ＡＲＱ）方法。
【請求項４４】  チャネルを介してデータパケットが受信されない場合、前記ソースでネガティブ応答確認を送信する工程と
を更に備えることを特徴とする請求項３３に記載のマルチチャネル自動再送信照会（ＡＲＱ）方法。
【請求項４５】  受信されたデータパケットが新規のデータパケットであるか否かを判定する工程と
を更に備えることを特徴とする請求項３３に記載のマルチチャネル自動再送信照会（ＡＲＱ）方法。
【請求項４６】  前記データパケットは、前記宛先で所定長を有するＦＩＦＯバッファで前記宛先でバッファされ、前記ＦＩＦＯバッファが空状態である場合、前記データパケットの多重分離は休止される
ことを特徴とする請求項４２に記載のマルチチャネル自動再送信照会（ＡＲＱ）方法。
【請求項４７】  前記宛先で前記データパケットを多重分離する工程は、循環方法で前記チャネル上で前記データパケットを多重分離する工程と
を備えることを特徴とする請求項３３に記載のマルチチャネル自動再送信照会（ＡＲＱ）方法。
【請求項４８】  前記データパケットの多重分離を休止する工程は、前記データパケットのバッファを休止する工程と
を備えることを特徴とする請求項４６に記載のマルチチャネル自動再送信照会（ＡＲＱ）方法。
【請求項４９】  いくつかのチャネルに分割されたデータ通信リンクを介してソースと宛先間でデータパケットを通信するネットワークであって、
連続多重ラウンドで前記ソースから前記データパケットを多重する手段と、
前記データパケットを送信する手段と、
前記宛先がデータパケットの受信をポジティブ応答確認するまで新規のデータパケットの多重を休止する手段とを備え、
前記データパケットを送信する手段は、ポジティブ応答確認されていない前記データパケットだけを再送信する
ことを特徴とするネットワーク。
【請求項５０】  前記宛先で前記チャネルを介して前記データパケットを多重分離する手段と、新規のデータパケットがチャネルを介して受信されない場合、それ以外のすべてのチャネルを介して新規のデータパケットの前記多重分離を休止する手段と
を更に備えることを特徴とする請求項４９に記載のネットワーク。
【請求項５１】  対応チャネルを介して少なくとも１つのデータパケットを送信する前に、前記ソースで前記少なくとも１つのデータパケットをバッファするバッファと
を更に備えることを特徴とする請求項４９に記載のネットワーク。
【請求項５２】  前記いくつかのデータパケットを送信する前に、ＦＩＦＯ方式で前記ソースで前記いくつかのデータパケットをバッファする少なくとも１つのソースＦＩＦＯバッファと
を更に備えることを特徴とする請求項４９に記載のネットワーク。
【請求項５３】  前記少なくとも１つのソースＦＩＦＯバッファは、所定長を有し、前記ソースＦＩＦＯバッファが一杯状態である場合、前記データパケットの前記多重は休止される
ことを特徴とする請求項５２に記載のネットワーク。
【請求項５４】  前記多重する手段は、循環方法で前記チャネル上で前記データパケットを多重する
ことを特徴とする請求項４９に記載のネットワーク。
【請求項５５】  前記データパケットの多重が休止される場合、前記多重する手段は、前記データパケットのバッファを休止する
ことを特徴とする請求項５４に記載のネットワーク。
【請求項５６】  ネガティブ応答確認がされる場合あるいは所定期間後にポジティブ応答確認がさなれい場合、前記送信する手段は、前記データパケットを再送信する
ことを特徴とする請求項５４に記載のネットワーク。
【請求項５７】  前記データパケットは、所定数の物理チャネルを介して疑似ランダム送信される
ことを特徴とする請求項４９に記載のネットワーク。
【請求項５８】  前記物理チャネルは、無線周波数チャネルを有する
ことを特徴とする請求項５７に記載のネットワーク。
【請求項５９】  ＦＩＦＯ方式で前記宛先で前記チャネルを介して受信されたデータパケットをバッファする宛先ＦＩＦＯバッファを更に備え、前記新規のデータパケットが受信された後、前記バッファされたデータパケットは連続的に多重分離される
ことを特徴とする請求項４９に記載のネットワーク。
【請求項６０】  チャネルを介してデータパケットが受信される場合、前記ソースへポジティブ応答確認を送信する手段と
を更に備えることを特徴とする請求項４９に記載のネットワーク。
【請求項６１】  チャネルを介してデータパケットが受信されない場合、前記ソースへネガティブ応答確認を送信する手段と
を更に備えることを特徴とする請求項４９に記載のネットワーク。
【請求項６２】  受信されたデータパケットが新規のデータパケットであるか否かを判定する手段と
を更に備えることを特徴とする請求項４９に記載のネットワーク。
【請求項６３】  前記宛先ＦＩＦＯバッファは所定長を有し、前記宛先ＦＩＦＯバッファが空状態である場合、前記データパケットの多重分離が休止される
ことを特徴とする請求項５９に記載のネットワーク。
【請求項６４】  循環方法で前記チャネル上の前記データパケットを多重分離するデマルチプレクサと
を更に備えることを特徴とする請求項５９に記載のネットワーク。